(57)【要約】【課題】キートップの回転軸に対して垂直な方向の長さ寸法の小型化が図れ、好適な操作感覚が得られるスイッチ機構を提供する。【解決手段】回転軸４１を中心に揺動するとともに、この回転軸４１を挟んだ両側に押圧部４５，４５を設けてなるキートップ４０を具備する。キートップ４０を揺動することで下降する側の押圧部４５がこれに対向するスイッチの反転板８６を反転してそのスイッチをオンする。押圧部４５，４５は、回転軸４１に対して垂直な対向位置から相互に回転軸４１方向に離反する位置に設置される。【選択図】図１
2007273305.tif 000002
【特許請求の範囲】
【請求項１】
回転軸を中心に揺動するとともに、この回転軸を挟んだ両側に押圧部を設けてなるキートップと、前記キートップの少なくとも２つの押圧部にそれぞれ対向する位置に設置されるスイッチと、を具備し、前記キートップを揺動することで下降する側の押圧部がこれに対向するスイッチをオンオフ操作する構造のスイッチ機構において、
前記押圧部と前記スイッチは、前記回転軸に対して垂直な対向位置から相互に前記回転軸方向に離反する位置に設置されていることを特徴とするスイッチ機構。
【請求項２】
前記キートップは、前記スイッチを設けたスイッチ基板と、このスイッチ基板の上面を覆うケースとの間に設置され、キートップの上面は前記ケースに設けた開口から露出しており、
一方前記キートップの回転軸はこのキートップの両端から突出し、且つ突出した回転軸は、前記ケースに設けた回動支持部と前記スイッチ基板の間に形成される空間内に回動自在に支持されることを特徴とする請求項１に記載のスイッチ機構。
【請求項３】
前記キートップの外形形状は、その回転軸方向の長さ寸法が、回転軸に直交する方向の長さ寸法よりも長くなる形状に形成されていることを特徴とする請求項１又は２に記載のスイッチ機構。
【請求項４】
前記キートップを第１キートップとしてこの第１キートップの回転軸方向の両外側の位置にそれぞれ上下動する第２，第３キートップを設置し、
これら第２，第３キートップに設けた押圧部に対向する位置にそれぞれこれら押圧部によってオンオフ操作される第２，第３スイッチを設置し、
これら第２，第３キートップの上面を前記ケースの第１キートップを露出する開口の両側に設置した開口からそれぞれ露出し、
前記ケースの第１キートップを露出する開口とその両側の開口の間に設けた桟の部分に前記回動支持部を設けたことを特徴とする請求項２又は３に記載のスイッチ機構。
【発明の詳細な説明】
【技術分野】
【０００１】
本発明は揺動型のスイッチ機構に関し、特にその小型化に好適なスイッチ機構に関するものである。
【背景技術】
【０００２】
従来、スイッチ機構の中には、キートップをその回転軸を中心に左右に揺動することで、キートップ下面の回転軸を挟んだ両側に設けている押圧部によってそれぞれ別のスイッチを押圧操作する構造の揺動型のスイッチ機構がある（例えば特許文献１参照）。この種のスイッチ機構は、例えば各種電子機器の操作パネルに設置する操作スイッチ等として利用される。
【０００３】
そして例えば上記揺動型のスイッチ機構を携帯機器の表示画面の周囲を囲むパネル（フレーム）に直接取り付けるような場合、前記パネルの幅の薄型化に伴なってその小型化が要求されるような場合があった。
【０００４】
しかしながら揺動型のスイッチ機構の場合、前述のようにキートップ下面の回転軸の両側に押圧部を設け、且つ各押圧部に対向する位置に一対のスイッチを設置する構造なので、前記回転軸方向の長さ寸法を小さくすることは比較的簡単であるが、前記回転軸に対して垂直な方向の長さ寸法を小さくすることは困難であり、そのような要求には応えられなかった。
【特許文献１】特開２０００−１４９７１７号公報
【発明の開示】
【発明が解決しようとする課題】
【０００５】
本発明は上述の点に鑑みてなされたものでありその目的は、キートップの回転軸に対して垂直な方向の長さ寸法の小型化が図れ、且つ好適な操作感覚が得られるスイッチ機構を提供することにある。
【課題を解決するための手段】
【０００６】
本願請求項１に記載の発明は、回転軸を中心に揺動するとともに、この回転軸を挟んだ両側に押圧部を設けてなるキートップと、前記キートップの少なくとも２つの押圧部にそれぞれ対向する位置に設置されるスイッチと、を具備し、前記キートップを揺動することで下降する側の押圧部がこれに対向するスイッチをオンオフ操作する構造のスイッチ機構において、前記押圧部と前記スイッチは、前記回転軸に対して垂直な対向位置から相互に前記回転軸方向に離反する位置に設置されていることを特徴とするスイッチ機構にある。
【０００７】
本願請求項２に記載の発明は、前記キートップは、前記スイッチを設けたスイッチ基板と、このスイッチ基板の上面を覆うケースとの間に設置され、キートップの上面は前記ケースに設けた開口から露出しており、一方前記キートップの回転軸はこのキートップの両端から突出し、且つ突出した回転軸は、前記ケースに設けた回動支持部と前記スイッチ基板の間に形成される空間内に回動自在に支持されることを特徴とする請求項１に記載のスイッチ機構にある。
【０００８】
本願請求項３に記載の発明は、前記キートップの外形形状は、その回転軸方向の長さ寸法が、回転軸に直交する方向の長さ寸法よりも長くなる形状に形成されていることを特徴とする請求項１又は２に記載のスイッチ機構にある。
【０００９】
本願請求項４に記載の発明は、前記キートップを第１キートップとしてこの第１キートップの回転軸方向の両外側の位置にそれぞれ上下動する第２，第３キートップを設置し、これら第２，第３キートップに設けた押圧部に対向する位置にそれぞれこれら押圧部によってオンオフ操作される第２，第３スイッチを設置し、これら第２，第３キートップの上面を前記ケースの第１キートップを露出する開口の両側に設置した開口からそれぞれ露出し、前記ケースの第１キートップを露出する開口とその両側の開口の間に設けた桟の部分に前記回動支持部を設けたことを特徴とする請求項２又は３に記載のスイッチ機構にある。
【発明の効果】
【００１０】
請求項１に記載の発明によれば、押圧部とスイッチを、キートップの回転軸に対して垂直な対向位置から相互に回転軸方向に離反する位置に設置したので、両押圧部の位置を回転軸に接近して設置することができ、これによってキートップの回転軸に対して垂直な方向の長さ寸法の小型化が図れる。
【００１１】
請求項２に記載の発明によれば、キートップの回転軸を、ケースに設けた回動支持部とスイッチ基板の間に形成される空間内に回動自在に支持したので、キートップの支持が確実に行なえてキートップの回動がスムーズ且つ確実に行なえ、これによって好適な操作感覚が得られる。また別部材を用いず、ケースに設けた回動支持部とスイッチ基板とによってキートップの支持が行なえるので、厚みが厚くなることもない。
【００１２】
請求項３に記載の発明によれば、キートップの回転軸方向の長さ寸法よりもこれに直交する方向の長さ寸法を短くしたので、より効果的にキートップの回転軸に対して垂直な方向の長さ寸法の小型化が図れる。
【００１３】
請求項４に記載の発明によれば、桟の部分を回動支持部として兼用したので、第１キートップの回転軸方向の両外側の位置に第２，第３キートップを設置する構造であっても、第１，第２，第３キートップを容易に接近して設置することが可能となる。
【発明を実施するための最良の形態】
【００１４】
以下、本発明の実施形態を図面に基づいて詳細に説明する。
図１〜図４は本発明の１実施形態にかかるスイッチ機構１を示す図であり、図１は正面側から見た分解斜視図、図２は裏面側から見た分解斜視図、図３は組み立てたスイッチ機構１の図１に示すＡ−Ａ線部分での概略断面図、図４は組み立てたスイッチ機構１の図１に示すＢ−Ｂ線部分での概略断面図である。これらの図に示すようにスイッチ機構１は、ケース１０の裏面側からケース１０に設けた３つの開口（以下「第１，第２，第３開口」という）１１，１３，１５内に３つのキートップ（以下「第１，第２，第３キートップ」という）４０，５０，６０を挿入し、さらにその裏面側にスイッチ（以下「第１，第２，第３スイッチ」という）８１，８３，８５を設けたスイッチ基板（以下「フレキシブルスイッチ基板」という）８０と、取付板９０とを設置して構成されている。以下各構成部品について説明する。
【００１５】
ケース１０は、合成樹脂を略矩形の箱型に成形することで構成され、その裏面側を収納部２５とし、その中央に矩形状の大型の開口部２７を設けている。そして開口部２７を設けることでその下側に形成される細長形状（横長形状）の操作部１６の略中央に横長矩形状の第１開口１１を形成し、第１開口１１の両側にそれぞれ桟１７，１９を挟んで矩形状の第２，第３開口１３，１５を形成している。ここで開口部２７は図示はしないがこの部分に液晶パネル等の表示パネルを嵌め込む部分である。
【００１６】
第１開口１１の裏面側の上下辺の部分には、下記する第１キートップ４０の上下辺に設けたつば部４３，４３を収納する段状のつば部収納部１１ａが形成され、第２，第３開口１３，１５の裏面側の上下辺と外側の辺（第１開口１１側の反対側の辺）の部分には、下記する第２，第３キートップ５０，６０の上下及び外側の辺（第１キートップ４０側の反対側の辺）に設けたつば部５３，６３を収納する段状のつば部収納部１３ａ，１５ａが形成されている。言い換えれば、第１，第２，第３開口１１，１３，１５の裏面側の周囲の辺の内の桟１７，１９の部分を除く辺の部分につば部収納部１１ａ，１３ａ，１５ａが形成されている。桟１７，１９の裏面中央には、横方向（下記する第１キートップ４０の回転軸４１，４１方向）に向かって略半円形状に凹む回動支持部１７ａ，１９ａが設けられている。第２，第３開口１３，１５の両外側には、小突起からなる取付部２１，２１が設けられている。
【００１７】
第１キートップ４０は合成樹脂製であり、その両端から回転軸４１，４１を突出し、またその外形形状を回転軸４１，４１方向の長さ寸法Ｈ２（図５参照）が、回転軸４１，４１に直交する方向の長さ寸法Ｈ１（図５参照）よりも長くなる略矩形状に形成している。両回転軸４１，４１は、その外周の略半分が第１キートップ４０の裏面から突出している。第１キートップ４０の上面中央には回転軸４１，４１方向に伸びる棒状のレバー部４４が突出して設けられ、また第１キートップ４０の上下の辺（回転軸４１，４１に平行な辺）にはつば部４３，４３が張り出して設けられている。言い換えれば第１キートップ４０の第２，第３キートップ５０，６０に対向する側の辺（回転軸４１，４１に垂直な辺）にはつば部は設けられていない。
【００１８】
図５は第１キートップ４０の裏面図である。同図及び図２に示すように第１キートップ４０の平坦状の裏面には、一対の押圧部４５，４５が柱状に突出して設けられている。これら押圧部４５，４５は、回転軸４１，４１（正確には回転軸中心線Ｌ１）を挟んだ両側であって、前記回転軸４１，４１（回転軸中心線Ｌ１）に対して垂直な対向位置（回転軸中心線Ｌ１に対して１本の垂直な線上の回転軸中心線Ｌ１から等距離の位置）から相互に前記回転軸４１，４１（回転軸中心線Ｌ１）方向に離反する位置に設置されている。言い換えれば、両押圧部４５，４５は、第１キートップ４０の裏面の中心点Ｏ（中心点Ｏは回転軸中心線Ｌ１上にある）を含んで回転軸中心線Ｌ１と所定の角度をなす直線Ｌ２上の中心点Ｏからみて点対称（等距離）の位置にある。さらに言い換えれば、両押圧部４５，４５は、これらに対向して設置されるスイッチ８１，８１上の反転板８６，８６が回転軸４１，４１方向から見て一部重なる位置に設けられている。
【００１９】
第２，第３キートップ５０，６０は合成樹脂製であり、その外形形状を略矩形状に形成すると共に、それらの上下の辺（前記回転軸４１，４１に平行な辺）とそれぞれの外側の辺（第１キートップ４０側の反対側の辺）につば部５３，６３を張り出して設け、さらにその裏面中央に柱状に突出する押圧部５５，６５を設けて構成されている。言い換えれば第２，第３キートップ５０，６０の第１キートップ４０に対向する側の辺（回転軸４１，４１に垂直な辺）にはつば部は設けられていない。
【００２０】
フレキシブルスイッチ基板８０は可撓性を有する合成樹脂フイルム（例えばポリエチレンテレフタレートフイルム）上に各種回路パターンを設けて構成されている。そしてフレキシブルスイッチ基板８０は、前記ケース１０の収納部２５の操作部１６の裏面側に取り付けることができる外形寸法の細長形状（横長形状、帯状）に形成され、スイッチ形成基板部８２と引出回路形成基板部８４とを連結する複数の連結部８９の部分を折り曲げることで両基板部８２，８４を重ね合わせて構成されている。
【００２１】
スイッチ形成基板部８２は、前記第１キートップ４０の一対の押圧部４５，４５に対向する位置に設けられるスイッチ８１，８１と、第２キートップ５０の押圧部５５に対向する位置に設けられるスイッチ８３と、第３キートップ６０の押圧部６５に対向する位置に設けられるスイッチ８５とを具備している。各スイッチ８１，８１，８３，８５は、スイッチ形成基板部８２上に形成した一対のスイッチ接点上にドーム形状の弾性金属板製の反転板８６を取り付けて構成されている（即ち反転板８６を可動接点板として用いている）が、他の各種スイッチ構造のものを用いても良いことは言うまでもない。例えば２枚のフイルムに形成したスイッチ接点パターンを離間して対向して重ね合わせたメンブレンスイッチ上に反転板（クリック板となる）を設置した構造のスイッチ等でも良い。またクリック感が不要であれば、この反転板を省いても良い。またスイッチ８３，８５の外側の前記ケース１０の取付部２１，２１に対向する位置にはこれら取付部２１，２１を挿入する開口からなる被取付部８７，８７が両基板部８２，８４の同一位置に設けられている。上述のようにスイッチ８１，８１は第１キートップ４０の押圧部４５，４５に対向する位置に設けられているので、これらスイッチ８１，８１は、その上に設置される前記第１キートップ４０の回転軸４１，４１に対して垂直な対向位置から相互に前記回転軸４１，４１方向に離反する位置に設置されることとなる。一方引出回路形成基板部８４は、前記各スイッチ８１，８１，８３，８５から連結部８９の部分を通して引き出された回路パターンを、この引出回路形成基板部８４に連結されている外部引出基板部８８に引き出すために設置されたものである。即ちフレキシブルスイッチ基板８０はその幅が短いので、スイッチ形成基板部８２の面だけでは各スイッチ８１，８１，８３，８５から引き出した回路パターンを外部に引き出すスペースが足りない。そこでその裏面側に引出回路形成基板部８４を積層することで各スイッチ８１，８１，８３，８５から引き出した回路パターンを一旦引出回路形成基板部８３に引き出してから外部引出基板部８８に引き出すように構成したのである。
【００２２】
取付板９０は、フレキシブルスイッチ基板８０とほぼ同一外形寸法形状に形成された矩形状の硬質板であり、この実施形態では金属板を用いている（合成樹脂板でも良い）。取付板９０の前記フレキシブルスイッチ基板８０の被取付部８７，８７に対向する位置には被取付部８７，８７と同一形状の開口からなる被取付部９１，９１が設けられている。
【００２３】
そしてスイッチ機構１の組み立ては、ケース１０の第１，第２，第３開口１１，１３，１５にその裏面側（収納部２５側）からそれぞれ第１，第２，第３キートップ４０，５０，６０を挿入して第１，第２，第３キートップ４０，５０，６０の上面を第１，第２，第３開口１１，１３，１５から露出し、次にその裏面側にフレキシブル回路基板８０と取付板９０とを挿入し、フレキシブル回路基板８０と取付板９０にそれぞれ設けた被取付部８７，８７，９１，９１にケース１０の取付部２１，２１を挿入し、それらの先端を取付板９０の裏面側で熱カシメすることによって行なわれる。このとき第１キートップ４０の両回転軸４１，４１は、ケース１０の回動支持部１７ａ，１９ａ内に収納され、図３に示すようにこの回動支持部１７ａ，１９ａとフレキシブル回路基板８０の間に形成される空間内に回動自在に支持される。また図３，図４に示すように、第１，第２，第３キートップ４０，５０，６０の各押圧部４５，４５，５５，６５は、スイッチ８１，８１，８３，８５上に設置した反転板８６の中央に当接している。
【００２４】
そして第１キートップ４０のレバー部４４を例えば図４に示す矢印Ｄ方向に押圧すると、第１キートップ４０は回転軸４１（正確には回転軸中心線Ｌ１）を中心にして矢印Ｄ方向に回動し、下降した側にある押圧部４５がこれに対向するスイッチ８１の反転板８６を反転してこのスイッチ８１をオンする。第１キートップ４０への押圧を解除すれば、反転板８６の弾性復帰力によって第１キートップ４０は元の中立位置に自動復帰し、スイッチ８１はオフする。レバー部４４を逆の図４に示す矢印Ｅ方向に押圧すると、第１キートップ４０は回転軸４１を中心にして矢印Ｅ方向に回動し、前記と同様に下降した側にある押圧部４５に対向するスイッチ８１の反転板８６が反転してこのスイッチ８１がオンする。第１キートップ４０への押圧を解除すれば、前記と同様にスイッチ８１はオフする。
【００２５】
一方第２キートップ５０又は第３キートップ６０を押圧すると、その押圧部５５又は押圧部６５がこれに対向するスイッチ８３又はスイッチ８５の反転板８６を反転してこのスイッチ８３又はスイッチ８５をオンする。第２キートップ５０又は第３キートップ６０への押圧を解除すれば、反転板８６の弾性復帰力によって第２キートップ５０又は第３キートップ６０は元の中立位置に自動復帰し、スイッチ８３又はスイッチ８５はオフする。
【００２６】
以上説明したように、スイッチ機構１は、回転軸４１（正確には回転軸中心線Ｌ１）を中心に揺動するとともに、この回転軸４１（正確には回転軸中心線Ｌ１）を挟んだ両側に押圧部４５，４５を設けてなる第１キートップ４０と、第１キートップ４０の少なくとも２つの押圧部４５，４５にそれぞれ対向する位置に設置されるスイッチ８１，８１と、を具備し、押圧部４５，４５とスイッチ８１，８１が、回転軸４１に対して垂直な対向位置から相互に前記回転軸４１方向に離反する位置に設置され、また第１キートップ４０は、スイッチ８１を設けたフレキシブルスイッチ基板８０と、このフレキシブルスイッチ基板８０の上面を覆うケース１０との間に設置され、第１キートップ４０の上面はケース１０に設けた第１開口１１から露出し、一方第１キートップ４０の回転軸４１は第１キートップ４０の両端から突出し、且つ突出した回転軸４１は、ケース１０に設けた回動支持部１７ａ，１９ａとフレキシブルスイッチ基板８０の間に形成される空間内に回動自在に支持されて構成されている。またスイッチ機構１は、第１キートップ４０の回転軸４１方向の両外側の位置にそれぞれ上下動する第２，第３キートップ５０，６０を設置し、第２，第３キートップ５０，６０に設けた押圧部５５，６５に対向する位置にそれぞれこれら押圧部５５，６５によってオンオフ操作される第２，第３スイッチ８３，８５を設置し、第２，第３キートップ５０，６０の上面をケース１０の第１キートップ４０を露出する第１開口１１の両側に設置した第２，第３開口１３，１５からそれぞれ露出し、ケース１０の第１キートップ４０を露出する第１開口１１とその両側の第２，第３開口１３，１５の間に設けた桟１７，１９の部分に回動支持部１７ａ，１９ａを設けた構成が開示されている。
【００２７】
上記スイッチ機構１によれば、押圧部４５，４５とスイッチ８１，８１を、第１キートップ４０の回転軸４１（回転軸中心線Ｌ１）に対して垂直な対向位置から相互に回転軸４１方向に離反する位置に設置したので、両押圧部４５，４５とスイッチ８１，８１の位置を回転軸４１に接近して設置することができる。即ち図５においてもし両押圧部４５，４５の位置を回転軸４１に対して垂直な対向位置に設置しようとすると、スイッチ８１，８１を構成する反転板８６が重ならないようにするには、少なくとも両押圧部４５，４５の離間距離を反転板８６の直径以上にしなければならない。これに対して本実施形態の場合は、両押圧部４５，４５及びスイッチ８１，８１を回転軸４１方向に離間することで、両反転板８６，８６を回転軸４１方向から見て両者が重なるように設置でき、従って上記制限は小さくなり（又はなくなり）、押圧部４５，４５とスイッチ８１，８１は回転軸４１に極めて接近する位置にまで設置できる。これによって第１キートップ４０の回転軸４１に対して垂直な方向の長さ寸法Ｈ１の小型化が図れ、この方向の寸法を小さくしたいという要求を満足できる。また上記実施形態では、第１キートップ４０の回転軸４１を、ケース１０に設けた回動支持部１７ａ，１９ａとフレキシブルスイッチ基板８０の間に形成される空間内に回動自在に支持したので、簡単な構成で、第１キートップ４０の支持が確実に行なえて第１キートップ４０の回動がスムーズ且つ確実に行なえ、これによって好適な操作感覚が得られるようになる。また別部材を用いず、ケース１０に設けた回動支持部１７ａ，１９ａとフレキシブルスイッチ基板８０とによって第１キートップ４０の支持が行なえるので、厚みが厚くなることもない。
【００２８】
また上記実施形態では、第１キートップ４０の回転軸４１方向の長さ寸法Ｈ２よりもこれに直交する方向の長さ寸法Ｈ１を短くしたので、より効果的に第１キートップ４０の回転軸４１に対して垂直な方向の長さ寸法Ｈ１の小型化が図れる。また上記実施形態では、桟１７，１９の部分を回動支持部１７ａ，１９ａとして兼用したので、第１キートップ４０の回転軸４１方向の両外側の位置に第２，第３キートップ５０，６０を設置する構造であっても、桟１７，１９の幅以上に第２，第３キートップ５０，６０が第１キートップ４０から離れることはなく、これらを容易に接近して設置することが可能となる。特にこの実施形態の場合、第１キートップ４０の第２，第３キートップ５０，６０に対向する側の辺と、第２，第３キートップ５０，６０の第１キートップ４０に対向する側の辺につば部を設けていないので、この点からも第１キートップ４０に対して第２，第３キートップ５０，６０を容易に接近して設置することが可能となる。
【００２９】
ところで上記実施形態の場合、第１キートップ４０に設ける押圧部４５，４５を一対のみとしたが、例えば図６に示すように２対（又はそれ以上）としても良い。同図に示す第１キートップ４０−２において、前記実施形態にかかる第１キートップ４０と同一又は相当部分には同一符号を付す。なお以下で説明する事項以外の事項については、前記第１キートップ４０と同じである。即ちこの実施形態の場合も上記実施形態と同様に、二対の押圧部４５Ａ，４５Ａ，４５Ｂ，４５Ｂは、回転軸４１，４１（正確には回転軸中心線Ｌ１）を挟んだ両側であって、回転軸４１，４１（回転軸中心線Ｌ１）に対して垂直な対向位置（回転軸中心線Ｌ１に対して１本の垂直な線上の回転軸中心線Ｌ１から等距離の位置）から相互に前記回転軸４１，４１（回転軸中心線Ｌ１）方向に離反する位置に設置されている。言い換えれば、押圧部４５Ａ，４５Ａと押圧部４５Ｂ，４５Ｂは、それぞれ第１キートップ４０−２の裏面の中心点Ｏ（中心点Ｏは回転軸中心線Ｌ１上にある）を含んで回転軸中心線Ｌ１と所定の角度をなす１本の直線Ｌ２上の中心点Ｏからみて点対称（等距離）の位置にある。そして図示はしないが各押圧部４５Ａ，４５Ａ，４５Ｂ，４５Ｂに対向するフレキシブル回路基板８０上にそれぞれスイッチを設ける。このように構成すれば、第１キートップ４０−２を回転軸４１を中心に一方の方向に揺動した際に、下降した側の内側又は外側の何れかの押圧部４５Ａ，４５Ｂに対向するスイッチがオンし、さらに深く第１キートップ４０−２を押圧することで下降した側のもう一方のスイッチがオンする。外側と内側のスイッチの何れが先にオンするかは、押圧部４５Ａ，４５Ａ，４５Ｂ，４５Ｂとこれらに対向するスイッチの間隔によって変更できる。なお先にオンするスイッチはもう一方のスイッチがオンする際にさらに押し込まれるので、スイッチ上に設置する反転板が破壊されないように、前記弾性金属板製の反転板８６の代わりに、弾性ゴム製の反転板を用いることが好ましい。この実施形態の場合も上述のように、押圧部４５Ａ，４５Ａ，４５Ｂ，４５Ｂを、第１キートップ４０−２の裏面の中心点Ｏを含んで回転軸中心線Ｌ１と所定の角度をなす１本の直線Ｌ２上の中心点Ｏからみて点対称の位置に設けているので、第１キートップ４０−２を左右に揺動した際に、同一のタイミングと負荷でスイッチをオンすることができ、操作感覚が好適になる。
【００３０】
上記図６に示す第１キートップ４０−２の場合、二対の押圧部４５Ａ，４５Ａ，４５Ｂ，４５Ｂを、第１キートップ４０の裏面の中心点Ｏ（中心点Ｏは回転軸中心線Ｌ１上にある）を含んで回転軸中心線Ｌ１と所定の角度をなす１本の直線Ｌ２上の中心点Ｏからみて点対称の位置に設けたが、図７に示す第１キートップ４０−３のように、二対の押圧部４５Ａ，４５Ａ，４５Ｂ，４５Ｂを、第１キートップ４０の裏面の中心点Ｏ（中心点Ｏは回転軸中心線Ｌ１上にある）を含んで回転軸中心線Ｌ１と所定の角度をなす２本の直線Ｌ３，Ｌ４上の中心点Ｏからみて点対称の位置にそれぞれ１対ずつ設けてもよい。同図に示す第１キートップ４０−３において、前記実施形態にかかる第１キートップ４０，４０−２と同一又は相当部分には同一符号を付す。なお以下で説明する事項以外の事項については、前記第１キートップ４０，４０−２と同じである。このキートップ４０−３の場合も、二対の押圧部４５Ａ，４５Ａ，４５Ｂ，４５Ｂは、回転軸４１，４１（正確には回転軸中心線Ｌ１）を挟んだ両側であって、前記回転軸４１，４１（回転軸中心線Ｌ１）に対して垂直な対向位置（回転軸中心線Ｌ１に対して１本の垂直な線上の回転軸中心線Ｌ１から等距離の位置）から相互に前記回転軸４１，４１（回転軸中心線Ｌ１）方向に離反する位置に設置されている。そしてこの実施形態の場合も、図示はしないが各押圧部４５Ａ，４５Ａ，４５Ｂ，４５Ｂに対向するフレキシブル回路基板８０上にそれぞれスイッチを設ける。このように構成しても、第１キートップ４０−３を回転軸４１を中心に一方の方向に揺動した際に、下降した側の内側又は外側の何れかの押圧部４５Ａ，４５Ａ，４５Ｂ，４５Ｂに対向するスイッチがオンし、さらに深く第１キートップ４０−３を押圧することで下降した側のもう一方のスイッチがオンする。外側と内側のスイッチの何れが先にオンするかは、押圧部４５Ａ，４５Ａ，４５Ｂ，４５Ｂとこれらに対向するスイッチの間隔によって変更できる。なおスイッチ上に設置する反転板として弾性金属板製のものを用いる代わりに弾性ゴム製のものを用いても良いことは上記と同様である。
【００３１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では反転板８６として弾性金属板製の反転板８６を用いたが、弾性ゴム製の反転板等、他の各種材質及び構造の反転板を用いても良い。また上記実施形態では第１キートップ４０の両側に第２，第３キートップ５０，６０を設置したが、本発明は第１キートップ４０のみでスイッチ機構を構成しても良いし、第１キートップ４０の片側のみに第２キートップ５０又は第３キートップ６０を設置してスイッチ機構を構成しても良い。また上記実施形態ではスイッチ基板としてフレキシブルスイッチ基板を用いたが、硬質のスイッチ基板を用いても良い。また取付板９０やケース１０は場合によっては省略しても良い。
【００３２】
また上記各実施形態では、押圧部４５，４５（４５Ａ，４５Ａ，４５Ｂ，４５Ｂ）を設置する位置を、第１キートップ４０の裏面の中心点Ｏを含んで回転軸中心線Ｌ１と所定の角度をなす１本の直線Ｌ２（Ｌ３，Ｌ４）上の中心点Ｏから見て点対称の位置に設けたが、必ずしも一対の押圧部４５，４５（４５Ａ，４５Ａ，４５Ｂ，４５Ｂ）は１本の直線Ｌ２（Ｌ３，Ｌ４）上に設けたり、中心点Ｏから見て点対称の位置に設けたりしなくても良く、要は押圧部４５，４５（４５Ａ，４５Ａ，４５Ｂ，４５Ｂ）は、回転軸４１に対して垂直な対向位置から相互に前記回転軸４１方向に離反する位置に設置されていればよい。
【図面の簡単な説明】
【００３３】
【図１】スイッチ機構１を正面側から見た分解斜視図である。
【図２】スイッチ機構１を裏面側から見た分解斜視図である。
【図３】スイッチ機構１の図１に示すＡ−Ａ線部分での概略断面図である。
【図４】スイッチ機構１の図１に示すＢ−Ｂ線部分での概略断面図である。
【図５】第１キートップ４０の裏面図である。
【図６】第１キートップ４０−２の裏面図である。
【図７】第１キートップ４０−３の裏面図である。
【符号の説明】
【００３４】
１  スイッチ機構
１０  ケース
１１  第１開口（開口）
１３  第２開口（開口）
１５  第３開口（開口）
１７，１９  桟
１７ａ，１９ａ  回動支持部
４０  第１キートップ（キートップ）
４１  回転軸
４５  押圧部
５０  第２キートップ（キートップ）
５５  押圧部
６０  第３キートップ（キートップ）
６５  押圧部
８１  第１スイッチ（スイッチ）
８３  第２スイッチ（スイッチ）
８５  第３スイッチ（スイッチ）
８０  フレキシブルスイッチ基板（スイッチ基板）
９０  取付板
４０−２  第１キートップ
４５Ａ，４５Ｂ  押圧部
４０−３  第１キートップ
【図１】
2007273305.tif 000003
【図２】
2007273305.tif 000004
【図３】
2007273305.tif 000005
【図４】
2007273305.tif 000006
【図５】
2007273305.tif 000007
【図６】
2007273305.tif 000008
【図７】
2007273305.tif 000009